(57)【要約】【課題】塩水調製タンク１０、および、塩水調製タンク１０の後側に位置する軟水器２０を必須の構成部品とする電解水生成装置において、軟水器２０に収容されているイオン交換樹脂の再生処理を、塩水調製タンク１０の前面側から手動操作できるようにする。【解決手段】塩水調製タンク１０の前面側を覆蓋するカバー部材５３に、軟水器２０の手動操作スイッチ２２に対向して手動操作部２０ａ，２０ｂを設けて、塩水調製タンク１０の前面側からの再生処理を手動により可能にした。【選択図】    図８
2008221118.tif 000002
【特許請求の範囲】
【請求項１】
塩水調製タンク、イオン交換樹脂を収容し被電解水を調製する原水を軟水化処理するとともに前記塩水調製タンクにて調製された高濃度塩水にて前記イオン交換樹脂が再生処理される軟水器、および、前記塩水調製タンクにて調製された高濃度塩水および前記軟水器にて軟水化処理された原水にて調製された希薄塩水または前記軟水器にて軟水化処理された原水を被電解水とする電解槽を備える電解水生成装置であって、外箱本体の正面開口部が開閉扉で開閉される外箱に収納されている電解水生成装置であり、前記塩水調製タンクは前記外箱本体の正面開口部側に位置するとともに、前記軟水器は前記塩水調製タンクの後側に位置し、前記軟水器の前側に位置する前記塩水調製タンクの前面側には、前記軟水器を手動操作するための手動操作部を備えていることを特徴とする電解水生成装置。
【請求項２】
請求項１に記載の電解水生成装置であり、前記外箱本体における前記塩水調製タンクを構成するタンク本体の前面側には同タンク本体の前面側を覆蓋するカバー部材を備え、同カバー部材には前記軟水器が有する手動操作スイッチに対向する穴部が形成されていて、同穴部が前記手動操作部を構成し、作業者が前記穴部に指を挿入して前記軟水器の手動操作スイッチを押動操作することができるようになっていることを特徴とする電解水生成装置。
【請求項３】
請求項１に記載の電解水生成装置であり、前記外箱本体における前記塩水調製タンクを構成するタンク本体の前面側には同タンク本体の前面側を覆蓋するカバー部材を備え、同カバー部材には前記軟水器が有する手動操作スイッチに対向する穴部が形成されていて、前記穴部に前記軟水器の手動操作スイッチに対向して進退する押動操作ボタンが取付けられていて、同押同操作ボタンが前記手動操作部を構成し、作業者が前記押動操作ボタンを押動操作して前記軟水器の手動操作スイッチを押動操作することができるようになっていることを特徴とする電解水生成装置。
【発明の詳細な説明】
【技術分野】
【０００１】
本発明は、水また希薄塩水を被電解水とする電解水生成装置に関する。
【背景技術】
【０００２】
電解水生成装置の一形式として、塩水調製タンク、イオン交換樹脂を収容し被電解水を調製する原水を軟水化処理するとともに前記塩水調製タンクにて調製された高濃度塩水にて前記イオン交換樹脂が再生処理される軟水器、および、前記塩水調製タンクにて調製された高濃度塩水および前記軟水器にて軟水化処理された原水にて調製された希薄塩水または前記軟水器にて軟水化処理された原水を被電解水とする電解槽を備える形式の電解水生成装置がある。当該形式の電解水生成装置は、塩水調製タンク、軟水器および電解槽が一体の状態で、外箱本体の正面開口部が開閉扉で開閉される外箱に収納されているのが一般である（特許文献１を参照）。
【０００３】
また、当該形式の電解水生成装置においては、塩水調製タンクで調製される高濃度塩水は、軟水器に収容されているイオン交換樹脂の再生や、被電解水である希薄塩水の調製のために消費されることから、高濃度塩水を消費尽くされる前に適宜に調製することが必要であり、高濃度塩水の調製には、塩水調製タンクのタンク本体の内部に、タイミングのよい時期に所定量の塩を投入して、タンク本体の内部に供給されている水に溶解する必要がある。このため、塩水調製タンクは、外箱内では、外箱本体における正面開口部側に設置して、タンク本体に設けた塩投入口を正面開口部側に位置させ、かつ、塩水調製タンクの後側に軟水器を設置するのが一般である。
【特許文献１】特開２０００−２２９２８７号公報
【発明の開示】
【発明が解決しようとする課題】
【０００４】
ところで、当該軟水器の原水の軟水化処理、および、軟水器に収容されているイオン交換樹脂の再生処理は、当該電解水生成装置が装備する制御装置に制御されるようになっている。このため、軟水器に収容されているイオン交換樹脂の再生処理は、制御装置によって定期的に自動的に行われるようになっている。また、軟水器の保守点検やイオン交換樹脂の再生試験、イオン交換樹脂の緊急な再生処理が必要な場合を想定して、軟水器には、制御装置にイオン交換樹脂の再生処理を指示するための手動操作スイッチを備えている。
【０００５】
しかしながら、軟水器は外箱本体内では、塩水調製タンクの後側に設置されているために、軟水器のこの設置状態では、外箱本体の正面開口部側から、軟水器に設けられている手動操作スイッチの手動操作はできずに苦慮しているのが現状である。従って、本発明の目的は、かかる問題に対処することにある。
【課題を解決するための手段】
【０００６】
本発明は、電解水生成装置に関する。本発明が適用対象とする電解水生成装置は、塩水調製タンク、イオン交換樹脂を収容し被電解水を調製する原水を軟水化処理するとともに前記塩水調製タンクにて調製された高濃度塩水にて前記イオン交換樹脂が再生処理される軟水器、および、前記塩水調製タンクにて調製された高濃度塩水および前記軟水器にて軟水化処理された原水にて調製された希薄塩水または前記軟水器にて軟水化処理された原水を被電解水とする電解槽を備える形式の電解水生成装置であって、外箱本体の正面開口部が開閉扉で開閉される外箱に収納されている電解水生成装置である。
【０００７】
しかして、本発明に係る電解水生成装置においては、前記塩水調製タンクは前記外箱本体の正面開口部側に位置するとともに、前記軟水器は前記塩水調製タンクの後側に位置し、前記軟水器の前側に位置する前記塩水調製タンクの前面側には、前記軟水器を手動操作するための手動操作部を備えていることを特徴とするものである。
【０００８】
本発明に係る電解水生成装置においては、前記外箱本体における前記塩水調製タンクを構成するタンク本体の前面側には同タンク本体の前面側を覆蓋するカバー部材を備え、同カバー部材には前記軟水器が有する手動操作スイッチに対向する穴部が形成されていて、同穴部が前記手動操作部を構成し、作業者が前記穴部に指を挿入して前記軟水器の手動操作スイッチを押動操作することができるようにすることができる。
【０００９】
また、本発明に係る電解水生成装置においては、前記外箱本体における前記塩水調製タンクを構成するタンク本体の前面側には同タンク本体の前面側を覆蓋するカバー部材を備え、同カバー部材には前記軟水器が有する手動操作スイッチに対向する穴部が形成されていて、前記穴部に前記軟水器の手動操作スイッチに対向して進退する押動操作ボタンが取付けられていて、同押同操作ボタンが前記手動操作部を構成し、作業者が前記押動操作ボタンを押動操作して前記軟水器の手動操作スイッチを押動操作することができるようにすることができる。
【発明の効果】
【００１０】
本発明に係る電解水生成装置においては、軟水器の前側に設置されている塩水調製タンクの前面側に、軟水器を手動操作するための手動操作部を備えていることから、軟水器の保守点検やイオン交換樹脂の再生試験、イオン交換樹脂の緊急な再生処理が必要な場合には、これらの部品を収納している外箱の開閉扉を開いて手動操作部を露出すれば、何らの傷害もなく、軟水器を容易に手動操作することができて、軟水器が収容しているイオン交換樹脂の再生処理をすることができる。
【００１１】
本発明に係る電解水生成装置においては、手動操作部として、外箱本体における塩水調製タンクを構成するタンク本体の前面側を覆蓋するカバー部材に、軟水器が有する手動操作スイッチに対向して設けた穴部を採用することがき、これによれば、作業者が当該穴部に指を挿入して軟水器の手動操作スイッチを直接押動操作して、軟水器に収容されているイオン交換樹脂の再生処理を容易に行うことができる。この場合には、タンク本体の前面側を覆蓋するカバー部材に穴部を設ければよく、特殊な機構を採用することは全く不要であるという利点がある。
【００１２】
また、本発明に係る電解水生成装置においては、手動操作部として、外箱本体における塩水調製タンクを構成するタンク本体の前面側を覆蓋するカバー部材に設けた穴部に、軟水器の手動操作スイッチに対向して進退可能に取付けた押動操作ボタンを採用することができ、これによれば、作業者が押動操作ボタンを押動操作して軟水器の手動操作スイッチを押動操作して、軟水器に収容されているイオン交換樹脂の再生処理を容易に行うことができる。この場合、タンク本体の前面側を覆蓋するカバー部材に設けた穴部は閉塞状態となるから、タンク本体に対する塩の投入時に、たとえ塩がタンク本体の外にこぼれても、こぼれた塩が当該穴部を通して外箱本体内に侵入することは全くないという利点がある。
【発明を実施するための最良の形態】
【００１３】
本発明は、塩水調製タンク、イオン交換樹脂を収容し被電解水を調製する原水を軟水化処理するとともに前記塩水調製タンクにて調製された高濃度塩水にて前記イオン交換樹脂が再生処理される軟水器、および、前記塩水調製タンクにて調製された高濃度塩水および前記軟水器にて軟水化処理された原水にて調製された希薄塩水または前記軟水器にて軟水化処理された原水を被電解水とする電解槽を備える電解水生成装置であって、外箱本体の正面開口部が開閉扉で開閉される外箱に収容されている電解水生成装置である。
【００１４】
図１〜図６には、本発明の一実施形態に係る電解水生成装置を示している。図１は、当該電解水生成装置の各構成部品を一体として外箱に収容した状態の正面図、図２は、外箱を構成する正面側の開閉扉を開いた状態の正面図、図３は、開閉扉および一部のフロントパネルを取り外した状態の正面図、図４は、外箱のサイドパネルを取り外した状態の左側面図、図５は、外箱のサイドパネルを取り外した状態の右側面図、図６は、外箱の上側パネルを取り外した状態の平面図である。なお、図７には、当該電解水生成装置の電解槽を中心とする被電解水の供給管路、および、電解槽にて生成された電解生成水の流出管路等の水系管路を示す模式図である。
【００１５】
当該電解水生成装置は、塩水調製タンク１０、軟水器２０、一対の電解槽３０ａ，３０ｂ、および、制御装置４０からなり、塩水調製タンク１０、軟水器２０、一対の電解槽３０ａ，３０ｂ、および、制御装置４０は互いに一体にした状態で、外箱５０に収納されている。
【００１６】
外箱５０は、外箱本体５１と、外箱本体５１の正面開口部５１ａを開閉する開閉扉５２からなり、開閉扉５２は、電解運転を開始する場合等に開らかれて、制御装置４０の操作を可能にする。当該電解水生成装置の各構成部品の外箱本体５１内での配置では、各構成部品の取り扱いや、各構成部品に接続する水系管路の取り回し等を考慮して、塩水調製タンク１０は外箱本体５１内の左側の正面開口部５１ａ側に位置し、軟水器２０は外箱本体５１内の塩水調製タンク１０の後側に位置する配置状態が採られ、また、一対の電解槽３０ａ，３０ｂは外箱本体５１内の右側の下段に位置し、制御装置４０が各電解槽３０ａ，３０ｂの上段に位置する配置状態が採られている。
【００１７】
塩水調製タンク１０は、高濃度塩水を調製するとともに、調製された高濃度塩水を貯留させるもので、貯留する高濃度塩水は、軟水器２０に収容されているイオン交換樹脂を再生処理するために軟水器２０に供給され、また、電解運転時には各電解槽３０ａ，３０ｂに供給される被電解水を調製するために、水系管路における被電解水を調製する部位に供給される。高濃度塩水を調製するための塩としては、塩化ナトリウムや塩化カリウム等のアルカリ金属塩を採用することができるが、本実施形態では、被電解水として希薄食塩水を採用することから、塩化ナトリウムの代表例である食塩を採用している。従って、当該塩水調製タンク１０は、高濃度食塩水を調製し、かつ、これを貯留するものである。
【００１８】
塩水調製タンク１０内での高濃度食塩水の調製では、タンク本体１１内に所要量の食塩を食塩投入口を通して投入し、軟水器２０からタンク本体１１内に導入されている軟水化処理された原水に溶解して調製する。この場合、食塩をタンク本体１１内に過剰量堆積しておき、タンク本体１１内に供給されている軟水化された原水に漸次溶解して、飽和食塩水が生成されるようにしている。本実施形態では、当該飽和食塩水が高濃度食塩水に該当する。
【００１９】
軟水器２０は、高濃度食塩水を調製するための原水、および、被電解水を調製するための原水を軟水化処理するもので、器本体２１内にはイオン交換樹脂が収容されている。軟水化処理された原水は、塩水調製タンク１０のタンク本体１１内に供給されるとともに、水系管路における被電解水を調製する部位に供給される。当該軟水器２０においては、器本体２１に収容されているイオン交換樹脂の再生処理が定期的に行われる。イオン交換樹脂の再生処理には、塩水調製タンク１０にて調製された高濃度食塩水が使用され、当該再生処理の際には、塩水調製タンク１０から高濃度食塩水が軟水器２０に供給される。
【００２０】
各電解槽３０ａ，３０ｂは、同一構成の有隔膜電解槽であって、図７に模式的に示すように、槽本体３１内が隔膜３２にて区画されて、槽本体３１内に一対の電解室Ｒ1，Ｒ2が形成されているものである。なお、符号３３ａ，３３ｂは、各電解室Ｒ1，Ｒ2に配設されている各電極を示している。これらの各電解槽３０ａ，３０ｂは公知のもので、電解槽３０ａ，３０ｂの各電解室Ｒ1，Ｒ2の上流側には、被電解水を供給する供給管路３４の分岐管路部が接続されている。
【００２１】
一方、電解槽３０ａ，３０ｂの電解室Ｒ1の下流側には流出管路を構成する第１の流出管路３５ａ1，３６ａ1が、また、電解槽３０ａ，３０ｂの電解室Ｒ2の下流側には流出管路を構成する第１の流出管路３５ｂ1，３６ｂｂ1がそれぞれ接続されている。一方の電解槽３０ａの第１の流出管路３５ａ1，３５ｂ1は、電磁切替弁３７ａを介して第２の流出管路３５ａ2，３５ｂ2に接続されており、また、他方の電解槽３０ｂのの第１の流出管路３６ａ1，３６ｂ1は、電磁切替弁３７ｂを介して第２の流出管路３６ａ2，３６ｂ2に接続されている。
【００２２】
なお、一方の電解槽３０ａの第２の流出管路３５ａ2と他方の電解槽３０ｂの第２の流出管路３６ａ2は、互いに第３の流出管路３８に接続されており、一方の電解槽３０ａの第２の流出管路３５ｂ2と他方の電解槽３０ｂの第２の流出管路３６ｂ2は、互いに第３の流出管路３９に接続されている。
【００２３】
各電解槽３０ａ，３０ｂにおいては、電解運転時には、各電極３３ａ，３３ｂに印加する電圧を定期的に正負逆特性に切替えられるもので、陽極側電解室を陰極側電解室に切替え、かつ、陰極側電解室を陽極側電解室に切替えて電解運転が行われる。当該電解運転は、電解運転中に酸性側となってスケールが析出する陽極側電解室を陰極側電解室に切替えてアルカリ性側として、電解室に析出しているスケールを溶解して流出除去することを意図しているものである。これにより、各電解槽３０ａ，３０ｂでは、析出するスケールに起因する電解効率の低下を防止することができる。このため、当該電解運転では、各電極３３ａ，３３ｂに対する印加電圧を正負逆特性に切替える際には、これと同期して各電磁切替弁３７ａ，３７ｂを切替え動作させる。
【００２４】
当該電解運転においては、各電解槽３０ａ，３０ｂの電解室Ｒ1が陽極側電解室、電解室Ｒ2が陰極側電解室にあって、一方の電解槽３０ａ側の第１の流出管路３５ａ1，３５ｂ1が第２の流出管路３５ａ2，３５ｂ2に接続されている場合、他方の電解槽３０ｂ側の第１の流出管路３６ａ1，３６ｂ1が第２の流出管路３６ａ2，３６ｂ2に接続されている場合には、一方の電解槽３０ａの電解室Ｒ1にて生成された電解生成酸性水は、第１の流出管路３５ａ1および第２の流出管路３５ａ2を通って第３の流出管路３８に流入し、他方の電解槽３０ｂの電解室Ｒ1にて生成された電解生成酸性水は、第１の流出管路３６ａ1および第２の流出管路３６ａ2を通って第３の流出管路３８に流入することになる。
【００２５】
また、一方の電解槽３０ａの電解室Ｒ2にて生成された電解生成アルカリ性水は、第１の流出管路３５ｂ1および第２の流出管路３５ｂ2を通って第３の流出管路３９に流入し、他方の電解槽３０ｂの電解室Ｒ2にて生成された電解生成アルカリ性水は、第１の流出管路３６ｂ1および第２の流出管路３６ｂ2を通って第３の流出管路３９に流入することになる。
【００２６】
一方、各電極３３ａ，３３ｂに対する印加電圧を正負逆特性に切替えられ、同時に各切替弁３７ａ，３７ｂが切替動作すると、一方の電解槽３０ａの第１の流出管路３５ａ1，３５ｂ1は、電磁切替弁３７ａを介して、第２の流出管路３５ｂ2，３５ａ2に接続され、かつ、他方の電解槽３０ｂ側の第１の流出管路３６ａ1，３６ｂ1は、電磁切替弁３７ｂを介して、第２の流出管路３６ｂ2，３６ａ2に切替接続される。
【００２７】
これにより、一方の電解槽３０ａの電解室Ｒ1にて生成された電解生成アルカリ性水は、第１の流出管路３５ａ1および第２の流出管路３５ｂ2を通って第３の流出管路３９に流入し、他方の電解槽３０ｂの電解室Ｒ1にて生成された電解生成アルカリ性水は、第１の流出管路３６ａ1および第２の流出管路３６ｂ2を通って第３の流出管路３９に流入することになる。また、一方の電解槽３０ａの電解室Ｒ2にて生成された電解生成酸性水は、第１の流出管路３５ｂ1および第２の流出管路３５ａ2を通って第３の流出管路３８に流入し、他方の電解槽３０ｂの電解室Ｒ2にて生成された電解生成酸性水は、第１の流出管路３６ｂ1および第２の流出管路３６ａ2を通って第３の流出管路３８に流入することになる。従って、当該電解運転においては、第３の流出管路３８，３９のうち、一方の流出管路３８は電解生成酸性水の専用の流出管路となり、他方の流出管路３９は電解生成アルカリ性水の専用の流出管路となる。
【００２８】
制御装置４０は、塩水調製タンク１０のタンク本体１１内での高濃度食塩水の調製を制御し、タンク本体１１内に貯留する高濃度食塩水を各部位に対する供給を制御し、軟水器２０に収容されているイオン交換樹脂の再生処理を制御し、被電解水の調製を制御し、各電解槽３０ａ，３０ｂの電解運転を制御する。制御装置４０は、ケース４１に収納されていて、ケース４１のフロントパネル４２が操作パネルに形成されており、操作パネル４２には、各構成部品の作動を指示する指示手段や、各構成部品の作動状態を表示する表示手段を備えている。操作パネル４２は、外箱５０の正面側の開閉扉５２を開くことにより、正面開口部５１ａ側に対向して露呈する。
【００２９】
しかして、当該電解水生成装置の必須の構成部品である塩水調製タンク１０は、特に、図３、図３の矢印８−８線方向の縦断面を示す図８、および、塩水調製タンク１０単体の正面を示す図９に示すように、タンク本体１１、食塩投入口を構成する投入口構成部材１２、投入された食塩をタンク本体１１内に導入するガイド部材１３、および、ガイド部材１３の下端部に取付けられて投入された食塩を底部に堆積させる包袋１４を備える構成となっている。
【００３０】
タンク本体１１は方形の筒体であって、タンク本体１１の上側壁部１１ａは、その後側の上端から前方かつ下方へ下降傾斜する傾斜面に形成されていて、当該傾斜面が外箱本体５１の正面開口部５１ａに対して傾斜状態で対向している。タンク本体１１の傾斜面に形成されている上側壁部１１ａには、投入口構成部材１２が上側壁部１１ａに対して直交状に取付けらていて、外箱本体５１の正面開口部５１ａに対して上方へ傾斜状に突出している。当該投入口構成部材１２は直状の円筒体であって、その下端開口部はタンク本体１１の内部に開口し、かつ、その上端開口部１２ａは、外箱本体５１の正面開口部５１ａに対して上方へ拡開して傾斜する状態で対向する食塩投入口となっている。食塩投入口１２ａには、ガイド部材１３が掛止されている。
【００３１】
なお、タンク本体１１内には、後側起立壁部に沿って、上下の２カ所に図示しないフロートスイッチが配設されているとともに、軟水器２０にて軟水処理された原水をタンク本体１１内に供給するための図示しない原水供給管路がタンク本体１１内に臨んでいる。
【００３２】
ガイド部材１３は、略くの字に屈曲する円筒体であって、ガイド部材１３の下端側部には、包袋１４が取付けられている。ガイド部材１３においては、その上端開口部に径外側に突出する３個の掛止片部１３ａ，１３ｂ，１３ｃが形成されている。これらの掛止片部１３ａ，１３ｂ，１３ｃは、タンク本体１１の上端壁部１１ａに突設されている投入口構成部材１２が有する食塩投入口１２ａの開口縁部の３カ所に設けられている図示しない掛止凹所に対応するものである。当該ガイド部材１３の下端側部には、包袋１４が取付けられている。包袋１４は、所定の長さの網状の筒体であって、底部が閉塞されている。
【００３３】
包袋１４と一体のガイド部材１３は、タンク本体１１の投入口構成部材１２が有する傾斜面状の食塩投入口１２ａからタンク本体１１内に挿入されて、ガイド部材１３の各掛止片部１３ａ，１３ｂ，１３ｃを、投入口構成部材１２の投入口１２ａの開口縁部に形成されている図示しない各掛止凹所に掛止することにより、タンク本体１１に着脱可能に取付けられている。図９は、ガイド部材１３を投入口構成部材１２が有するの食塩投入口１２ａの開口縁部に掛止した状態を示している。
【００３４】
当該塩水調製タンク１０が外箱本体５１内に設置されている状態では、塩水調製タンク１０を構成するタンク本体１１の前面は、外箱本体５１の枠部材に取付けたカバー部材５３によって覆蓋されている。カバー部材１３は、前側に開口する箱体であって、下側後壁部５３ａ、下側後壁部５３ａの上端から後方へ上方傾斜して延びる中間傾斜壁部５３ｂ、中間傾斜壁部５３ｂの上端から垂直状態に起立する上側後壁部５３ｃ、上側後壁部５３ｃの前端から前方へ水平状態に延びる上側壁部５３ｄ、および、これらの各壁部にて形成された空間部の左右を閉塞する側壁部５３ｅにて構成されている。
【００３５】
カバー部材５３を構成する中間傾斜壁部５３ｂは、タンク本体１１の上側壁部１１ａの傾斜面に沿う形状に傾斜していて、中央部には円形穴５３ｂ1が形成されている。カバー部材５３は、外箱本体５１の枠部材に取付けられた状態では、タンク本体１１に取付けた投入口構成部材１２の上端部が円形穴５３ｂ1から突出していて、投入口構成部材１２が有する食塩投入口１２ａが傾斜状態で、箱本体５１の正面開口部５１ａに対向している。投入口構成部材１２が有する食塩投入口１２ａは、キャップ１２ｂにて覆蓋される。
【００３６】
当該塩水調製タンク１０にて高濃度食塩水を調製するには、タンク本体１１が有する食塩投入口１２ａから食塩をタンク本体１１内に投入して、投入された食塩を包袋１４の底部に堆積させるとともに、軟水処理された原水を軟水器２０からタンク本体１１内に供給する。軟水器２０からタンク本体１１内への軟水処理された原水の一度の供給容量は、フロートスイッチの動作によって一定容量に限定され、供給された原水は、包袋１４の底部に堆積している過剰量の食塩を漸次溶解して飽和食塩水を生成する。生成された飽和食塩水は、タンク本体１１内で調製を意図している高濃度食塩水である。
【００３７】
調製されてタンク本体１１内に貯留されている高濃度食塩水は、被電解水の調製用として消費されるとともに、軟水器２０に収容されているイオン交換樹脂の再生処理用として消費される。このため、高濃度食塩水は漸次消費されるが、高濃度食塩水が所定量消費された場合には、フロースイッチの動作によって、軟水処理された原水が軟水器２０からタンク本体１１内に一定容量供給される。この場合には、食塩を食塩投入口１２ａを通してタンク本体１１内に投入して、包袋１４内に過剰量の食塩を確保する。
【００３８】
タンク本体１１内への軟水処理された原水の供給は、制御装置４０により制御される。換言すれば、塩水調製タンク１０における高濃度食塩水の調製は、制御装置４０により制御される。この場合、タンク本体１１内への食塩の投入は作業者によって行われることから、制御装置４０は、食塩の投入時期を制御装置４０の操作パネル４２に表示するとともに、警告音を発生して作業者に知らせる。また、制御装置４０は、イオン交換樹脂の再生処理のタイミングを検知して、軟水器２０に収容されているイオン交換樹脂の再生処理の制御を行う。
【００３９】
当該電解水生成装置においては、外箱本体５１の正面開口部５１ａ側に位置する塩水調製タンク１０を構成するタンク本体１１が有する食塩投入口１２ａが、外箱本体５１の正面開口部５１ａの開口面に対して上方へ拡開した傾斜状態で対向する傾斜面になっているため、このような傾斜面形状の食塩投入口１２ａへの食塩の投入作業は容易であって、その作業性を向上させることができるとともに、食塩投入の際の食塩のタンク本体１１の外へこぼれる量を極力少なくすることができる。
【００４０】
また、当該電解水生成装置においては、塩水調製装置１０を構成するタンク本体１１の前側をカバー部材５２にて覆蓋して、タンク本体１１が有する食塩投入口１２ａをカバー部材５３から突出して開口する構成としているため、仮に、食塩投入の際に食塩がタンク本体１１の外へこぼれてもカバー部材５３がこれを受承し、こぼれた食塩が外箱本体５１の内部に入ることがない。このため、外箱本体５１内に侵入する食塩に起因する、電解水生成装置を構成する各構成部品に及ぼす影響を皆無とすることができる。
【００４１】
また、当該電解水生成においては、塩水調製タンク１０のタンク本体１１は、上側壁部１１ａに、前方へ上方傾斜して延びる投入口構成部材１２を備えた構成として、投入口構成部材１２の下端側開口部をタンク本体１１内に開口するとともに上端側開口部を外部に開口させ、かつ、同上端側開口部を外箱本体１１の正面開口部の開口面に対して上方へ拡開した傾斜状態で対向する傾斜面とした食塩投入口１２ａとしているため、当該食塩投入口１２ａへの食塩の投入作業が一層容易になって、その作業性を一層向上させることができる。
【００４２】
一方、当該電解水生成装置の必須の構成部品である軟水器２０は、器本体２１内にイオン交換樹脂を収容してなるもので、器本体２１の前面には、イオン交換樹脂の再生処理を指示するための手動操作スイッチ２２を備えている。当該軟水器２０においては、手動操作スイッチ２２を押動操作することにより、制御装置４０にイオン交換樹脂の再生処理を指示するための指示信号を出力し、制御装置４０は当該指示信号に基づいて、所定時間の間、イオン交換樹脂の再生処理を行う。このような手動によるイオン交換樹脂の再生処理は、軟水器２０の保守点検時、軟水器２０の試験運転時、緊急なイオン交換樹脂の再生処理が必要になった場合に行われる。これに対して、常時のイオン交換樹脂の再生処理は、制御装置４０が再生処理のタイミングを検知して、これを定期的に行う。
【００４３】
しかしながら、軟水器２０は、外箱本体５１内での設置の関係上、塩水調製タンク１０の後側に位置し、かつ、塩水調製タンク１０の前面側がカバー部材５３にて覆蓋されていることから、かかる設置状態では、軟水器２０の手動操作スイッチ２２を押動操作することは難しく、手動操作スイッチ２２の押動操作を可能にするには、カバー部材５３、または、カバー部材５３および塩水調製タンク１０を外箱本体５１内から取り外さなければならないという不都合がある。
【００４４】
本発明の係る電解水生成装置は、カバー部材５３、または、カバー部材５３および塩水調製タンク１０を外箱本体５１内から取り外すことなく、手動操作スイッチ２２の押動操作を可能にしたものである。本発明の一実施形態に係る電解水生成装置では、塩水調製タンク１０の前面側を覆蓋するカバー部材５３に、軟水器２０の手動操作スイッチ２２を押動操作することができる手動操作部を設けている。図１０には、第１の手動操作部２０ａを示し、図１１には、第２の手動操作部２０ｂを示している。
【００４５】
図１０に示す第１の手動操作部２０ａは、カバー部材５３に設けた穴部２３であって、穴部２４は、カバー部材５３における上側後壁部５３ｃの略中央部にて、軟水器２０の手動操作スイッチ２２に対向して形成されている。当該穴部２３は、外箱本体５１の正面開口部５１ａ側に開口しているため、作業者は、当該穴部２３に指を挿入して軟水器２０の手動操作スイッチ２２を直接押動操作して、軟水器２０に収容されているイオン交換樹脂の再生処理を容易に行うことができる。この場合には、手動操作部２０ａは、タンク本体１１の前面側を覆蓋するカバー部材５３に設けた穴部２３にすぎず、特殊な機構を採用することは全く不要であるという利点がある。
【００４６】
一方、図１１に示す第２の手動操作部２０ｂは、押しボタン式機構であって、当該押しボタン式機構は、カバー部材５３に軟水器２０の手動操作スイッチ２２に対向して形成した穴部２４に嵌着した支持部材２５、支持部材２５の内孔内を軸方向へ摺動可能に貫通するロッド２６と、ロッド２６の外端を支承してその外側部を覆蓋する支承部材２７と、支持部材２４の外側面とロッド２６の外端側の掛止部間に介在してリターンスプリング２８とにより構成されている。当該手動操作部２０ｂにおいては、作業者が支承部材２７の頭部を押動操作すれば、ロッド２５の内端が軟水器２０の手動操作スイッチ２２を押動操作して、軟水器２０に収容されているイオン交換樹脂の再生処理を容易に行うことができる。この場合、タンク本体１１の前面側を覆蓋するカバー部材５３に設けた穴部２４は閉塞状態となるから、タンク本体１１に対する塩の投入時に、たとえ塩がタンク本体１１の外にこぼれても、こぼれた塩が当該穴部２４を通して外箱本体１１内に侵入することは全くないという利点がある。
【図面の簡単な説明】
【００４７】
【図１】本発明の一実施形態に係る電解水生成装置の各構成部品を一体として外箱に収納した状態の正面図である。
【図２】同電解水生成装置の外箱を構成する正面側の開閉扉を開放した状態の正面図である。
【図３】同電解水生成装置の開閉扉および一部のフロントパネルを取り外した状態の正面図である。
【図４】同電解水生成装置の外箱のサイドパネルを取り外した状態の左側面図である。
【図５】同電解水生成装置の外箱のサイドパネルを取り外した状態の右側面図である。
【図６】同電解水生成装置の外箱の上側パネルを取り外した状態の平面図である。
【図７】同電解水生成装置の電解槽を中心とする被電解水の供給管路、および、電解槽にて生成された電解生成水の流出管路を示す水系管路図である。
【図８】同電解水生成装置における図３の矢印８−８線方向にみた縦断側面図である。
【図９】同電解水生成装置を構成する塩水調製タンクの正面図である。
【図１０】同電解水生成装置が有する軟水器に対する手動操作部の第１の手動操作部を示す左側面図である。
【図１１】同電解水生成装置が有する軟水器に対する手動操作部の第２の手動操作部を示す左側面図である。
【符号の説明】
【００４８】
１０…塩水調製タンク、１１…タンク本体、１１ａ…上側壁部、１２…投入口構成部材、１２ａ…食塩投入口、１２ｂ…キャップ、１３…ガイド部材、１３ａ，１３ｂ，１３ｃ…掛止片部、１４…包袋、２０…軟水器、２１…器本体、２２…手動操作スイッチ、２０ａ…第１の手動操作部、２３…穴部、２０ｂ…第２の手動操作部、２４…穴部、２５…支持部材、２６…ロッド、２７…支承部材、２８…リターンスプリング、３０ａ，３０ｂ…電解槽、３１…槽本体、３２…隔膜、Ｒ1，Ｒ2…電解室、３３ａ，３３ｂ…電極、３４…供給管路、３５ａ1，３５ｂ1…第１の流出管路、３６ａ1，３６ｂ1…第１の流出管路、３５ａ2，３５ｂ2…第２の流出管路、３６ａ2，３６ｂ2…第２の流出管路、３７ａ，３７ｂ…電磁切替弁、３８，３９…第３の流出管路、４０…制御装置、４１…ケース、４２…操作パネル、５０…外箱、５１…外箱本体、５１ａ…正面開口部、５２…開閉扉、５３…カバー部材、５３ａ…下側後壁部、５３ｂ…中間傾斜壁部、５３ｂ1…円形穴、５３ｃ…上側後壁部、５３ｄ…上側壁部、５３ｅ…側壁部。
【図１】
2008221118.tif 000003
【図２】
2008221118.tif 000004
【図３】
2008221118.tif 000005
【図４】
2008221118.tif 000006
【図５】
2008221118.tif 000007
【図６】
2008221118.tif 000008
【図７】
2008221118.tif 000009
【図８】
2008221118.tif 000010
【図９】
2008221118.tif 000011
【図１０】
2008221118.tif 000012
【図１１】
2008221118.tif 000013